(57)【特許請求の範囲】
【請求項１】
見出し語に対応させて単語の語義と、成句データおよび例文データの双方またはいずれかを保持する辞書データを用いて、指定される検索単語の語義を検索する辞書検索装置であって、
前記検索単語の指定を受け付ける検索単語指定受付手段と、
前記検索単語指定受付手段により受け付けた前記検索単語に対応する見出し語の候補を前記辞書データを用いて検索する見出し語検索手段と、
前記見出し語検索手段により検索された見出し語の候補のうち、選択されている見出し語の語義を前記辞書データを用いて検索する語義検索手段と、
前記語義検索手段により検索された前記見出し語の語義を、所定の表示領域に表示する表示手段と、
前記選択されている見出し語を用いた成句データがあるか否かを判定する成句データ有無判定手段と、
前記選択されている見出し語を用いた例文データがあるか否かを判定する例文データ有無判定手段と、
前記成句データ有無判定手段により前記成句データがあると判定された場合には、前記表示手段の前記所定の表示領域に表示されている前記見出し語の語義と同一画面上の別の表示領域に前記成句データを表示させるとともに、前記例文データ有無判定手段により前記例文データがあると判定された場合には、前記表示手段の前記所定の表示領域に表示されている前記見出し語の語義と同一画面上の別の表示領域に前記例文データを表示させ、前記成句データの表示領域と前記例文データの表示領域とは、異なる表示領域として表示する表示制御手段と、
前記表示手段における表示形態の切り替えを指示する切り替え指示手段と、
前記切り替え指示手段により切り替えを指示される度に、前記表示手段における前記見出し語の語義の表示領域、前記成句データの表示領域、前記例文データの表示領域について、表示位置、面積、表示の有無を切り替える表示形態切替手段と
を備えることを特徴とする辞書検索装置。
【請求項２】
前記表示手段は、前記見出し語検索手段により検索された見出し語の候補を、前記見出し語の語義とは別の表示領域に表示することを特徴とする請求項１に記載の辞書検索装置。
【発明の詳細な説明】
【技術分野】
【０００１】
本発明は、辞書検索装置、辞書検索方法及び辞書検索プログラムに関する。
【背景技術】
【０００２】
近年、複数の電子化した辞書を内蔵し、様々な単語の意味などを検索する電子辞書が実用化されている（例えば、特許文献１参照）。該電子辞書装置では、何らかの語彙を調べる場合、単語が入力されると、複数の辞書から、その単語に対応する見出し語リストと、その訳の一部をプレビュー表示（プレビュー画面）し、該見出し語リストの中から所望する見出し語が選択されると、画面を切り替えて、その見出し語の訳を表示するようになっている。
【０００３】
また、該電子辞書装置では、表示部の大きさが限られているので、見出し語に関する成句や、例文を表示する場合には、その成句や例文の表示時に、画面上のアイコンを選択させることで、成句リストや例文リストを表示したり、訳文中の所定のマーク（例えば、例文を示す「文」）にカーソルを移動させることにより、成句リストや例文リストを表示したりするようになっている。
【特許文献１】特開２００１−１３４５６８号公報
【発明の開示】
【発明が解決しようとする課題】
【０００４】
しかしながら、上述した従来技術（特許文献１）では、任意の見出し語に対し、プレビュー画面内又は訳表示状態では、例文や、成句が畳まれている（例文や成句が見出し語に付随して登録されていることを示すボタンが表示され、そのボタンを押下することにより、表示されていない例文や成句の情報が表示される。この状態を畳まれていると表現している）ため、それらの表示方法が理解出来ない人は、成句や例文を見落とすことがあるという問題があった。また、例文や、成句を表示させるためには、カーソル移動などの操作が必要であり、操作が煩雑になるという問題もある。
【０００５】
本発明は、このような事情を考慮してなされたものであり、その目的は、見出し語検索時に、成句・例文を見落とすことなく、容易に確認することができる辞書検索装置、辞書検索方法及び辞書検索プログラムを提供することにある。
【課題を解決するための手段】
【０００６】
上述した課題を解決するために、本発明は、見出し語に対応させて単語の語義と成句データとを保持する辞書データを用いて、指定される検索単語の語義を検索する辞書検索装置であって、前記検索単語の指定を受け付ける検索単語指定受付手段と、前記検索単語指定受付手段により受け付けた前記検索単語に対応する見出し語の候補を前記辞書データを用いて検索する見出し語検索手段と、前記見出し語検索手段により検索された見出し語の候補のうち、選択されている見出し語の語義を前記辞書データを用いて検索する語義検索手段と、前記語義検索手段により検索された前記見出し語の語義を表示する表示手段と、前記選択されている見出し語を用いた成句データがあるか否かを判定する成句データ有無判定手段と、前記成句データ有無判定手段により前記成句データがあると判定された場合には、前記表示手段に表示されている前記見出し語の語義と同一画面上の別の表示領域に前記成句データを表示させる表示制御手段とを備えることを特徴とする辞書検索装置である。
【０００７】
上述した課題を解決するために、本発明は、見出し語に対応させて単語の語義と例文データとを保持する辞書データを用いて、指定される検索単語の語義を検索する辞書検索装置であって、前記検索単語の指定を受け付ける検索単語指定受付手段と、前記検索単語指定受付手段により受け付けた前記検索単語に対応する見出し語の候補を前記辞書データを用いて検索する見出し語検索手段と、前記見出し語検索手段により検索された見出し語の候補のうち、選択されている見出し語の語義を前記辞書データを用いて検索する語義検索手段と、前記語義検索手段により検索された前記見出し語の語義を表示する表示手段と、前記選択されている見出し語を用いた例文データがあるか否かを判定する例文データ有無判定手段と、前記例文データ有無判定手段により前記例文データがあると判定された場合には、前記表示手段に表示されている前記見出し語の語義と同一画面上の別の表示領域に前記例文データを表示させる表示制御手段とを備えることを特徴とする辞書検索装置である。
【０００８】
上述した課題を解決するために、本発明は、見出し語に対応させて単語の語義と成句データと例文データとを保持する辞書データを用いて、指定される検索単語の語義を検索する辞書検索装置であって、前記検索単語の指定を受け付ける検索単語指定受付手段と、前記検索単語指定受付手段により受け付けた前記検索単語に対応する見出し語の候補を前記辞書データを用いて検索する見出し語検索手段と、前記見出し語検索手段により検索された見出し語の候補のうち、選択されている見出し語の語義を前記辞書データを用いて検索する語義検索手段と、前記語義検索手段により検索された前記見出し語の語義を表示する表示手段と、前記選択されている見出し語を用いた成句データがあるか否かを判定する成句データ有無判定手段と、前記選択されている見出し語を用いた例文データがあるか否かを判定する例文データ有無判定手段と、前記成句データ有無判定手段により前記成句データがあると判定された場合には、前記表示手段に表示されている前記見出し語の語義と同一画面上の別の表示領域に前記成句データを表示させるとともに、前記例文データ有無判定手段により前記例文データがあると判定された場合には、前記表示手段に表示されている前記見出し語の語義と同一画面上の別の表示領域に前記例文データを表示させる表示制御手段とを備えることを特徴とする辞書検索装置である。
【０００９】
本発明は、上記の発明において、前記表示制御手段は、前記成句データと、前記例文データとを別々の表示領域に表示させることを特徴とする。
【００１０】
本発明は、上記の発明において、前記表示手段における表示形態の切り替えを指示する切り替え指示手段と、前記切り替え指示手段により切り替えを指示される度に、前記表示手段における、前記見出し語の語義の表示領域と、前記成句データの表示領域と、前記例文データの表示領域との表示位置及び表示の有無を切り替える表示形態切替手段とを更に備えることを特徴とする。
【００１１】
本発明は、上記の発明において、前記表示手段は、前記見出し語検索手段により検索された見出し語の候補を、前記見出し語の語義とは別の表示領域に表示することを特徴とする。
【００１２】
また、上述した課題を解決するために、本発明は、見出し語に対応させて単語の語義と成句データと例文データとを保持する辞書データを用いて、指定される検索単語の語義を検索する辞書検索方法であって、前記検索単語の指定を受け付ける検索単語指定受付ステップと、前記受け付けた検索単語に対応する見出し語の候補を前記辞書データを用いて検索する見出し語検索ステップと、前記検索された見出し語の候補のうち、選択されている見出し語の語義を前記辞書データを用いて検索する語義検索ステップと、前記検索された見出し語の語義を表示する表示ステップと、前記選択されている見出し語を用いた成句データがあるか否かを判定する成句データ有無判定ステップと、前記選択されている見出し語を用いた例文データがあるか否かを判定する例文データ有無判定ステップと、前記成句データがあると判定された場合には、前記見出し語の語義と同一画面上の別の表示領域に前記成句データを表示させるとともに、前記例文データがあると判定された場合には、前記見出し語の語義と同一画面上の別の表示領域に前記例文データを表示させる表示制御ステップとを含むことを特徴とする辞書検索方法である。
【００１３】
本発明は、上記の発明において、表示形態の切り替え指示を受け付ける切り替え指示受付ステップと、前記切り替え指示を受け付ける度に、前記見出し語の語義の表示領域と、前記成句データの表示領域と、前記例文データの表示領域との表示位置及び表示の有無を切り替える表示形態切替ステップとを更に含むことを特徴とする。
【００１４】
また、上述した課題を解決するために、本発明は、見出し語に対応させて単語の語義と成句データと例文データとを保持する辞書データを用いて、指定される検索単語の語義を検索する辞書検索装置を制御するコンピュータに、前記検索単語の指定を受け付ける検索単語指定受付ステップと、前記受け付けた検索単語に対応する見出し語の候補を前記辞書データを用いて検索する見出し語検索ステップと、前記検索された見出し語の候補のうち、選択されている見出し語の語義を前記辞書データを用いて検索する語義検索ステップと、前記検索された見出し語の語義を表示する表示ステップと、前記選択されている見出し語を用いた成句データがあるか否かを判定する成句データ有無判定ステップと、前記選択されている見出し語を用いた例文データがあるか否かを判定する例文データ有無判定ステップと、前記成句データがあると判定された場合には、前記見出し語の語義と同一画面上の別の表示領域に前記成句データを表示させるとともに、前記例文データがあると判定された場合には、前記見出し語の語義と同一画面上の別の表示領域に前記例文データを表示させる表示制御ステップとを実行させることを特徴とする辞書検索プログラムである。
【００１５】
本発明は、上記の発明において、表示形態の切り替え指示を受け付ける切り替え指示受付ステップと、前記切り替え指示を受け付ける度に、前記見出し語の語義の表示領域と、前記成句データの表示領域と、前記例文データの表示領域との表示位置及び表示の有無を切り替える表示形態切替ステップとを更に実行させることを特徴とする。
【発明の効果】
【００１６】
この発明によれば、検索単語の指定を受け付け、該受け付けた検索単語に対応する見出し語の候補、及び、見出し語の候補のうち、選択されている見出し語の語義を辞書データを用いて検索し、見出し語の語義を表示する際、選択されている見出し語を用いた成句データがあるか否かを判定し、成句データがあると判定された場合には、見出し語の語義と同一画面上の別の表示領域に成句データを表示させる。したがって、見出し語検索時に、成句を見落とすことなく、容易に確認することができるという利点が得られる。
【００１７】
また、本発明によれば、検索単語の指定を受け付け、該受け付けた検索単語に対応する見出し語の候補、及び、見出し語の候補のうち、選択されている見出し語の語義を辞書データを用いて検索し、見出し語の語義を表示する際、選択されている見出し語を用いた例文データがあるか否かを判定し、例文データがあると判定された場合には、見出し語の語義と同一画面上の別の表示領域に例文データを表示させる。したがって、見出し語検索時に、例文を見落とすことなく、容易に確認することができるという利点が得られる。
【００１８】
また、本発明によれば、検索単語の指定を受け付け、該受け付けた検索単語に対応する見出し語の候補、及び、見出し語の候補のうち、選択されている見出し語の語義を辞書データを用いて検索し、見出し語の語義を表示する際、選択されている見出し語を用いた成句データ、または例文データがあるか否かを判定し、成句データがあると判定された場合には、見出し語の語義と同一画面上の別の表示領域に成句データを表示させ、例文データがあると判定された場合には、見出し語の語義と同一画面上の別の表示領域に例文データを表示させる。したがって、見出し語検索時に、成句・例文を見落とすことなく、容易に確認することができるという利点が得られる。
【００１９】
また、この発明によれば、成句データと、例文データとを別々の表示領域に表示させる。したがって、見出し語検索時に、成句・例文を見落とすことなく、容易に確認することができるという利点が得られる。
【００２０】
また、この発明によれば、表示形態の切り替えが指示される度に、見出し語の語義の表示領域と、成句データの表示領域と、例文データの表示領域との表示位置及び表示の有無を切り替える。使用者が任意に表示スタイルに変更することができ、利便性を向上させることができるという利点が得られる。
【００２１】
また、この発明によれば、検索された見出し語の候補を、見出し語の語義とは別の表示領域に表示する。したがって、より容易に、見出し語の候補から、見出し語の語彙、成句・例文を確認することができるという利点が得られる。
【発明を実施するための最良の形態】
【００２２】
以下、本発明の一実施形態を、図面を参照して説明する。
【００２３】
図１は、本実施形態による電子辞書の構成を示すブロック図である。図１において、電子辞書１０は、制御部１１、入力部１２、表示部１３、辞書データ記憶部１４及びＲＡＭ１５から略構成されている。まず、制御部１１は、各部の動作を制御する。特に、本実施形態では、辞書の検索、表示制御などを行う。入力部１２は、各種文字や、動作指示を行うための機能キー（カーソルキー、決定キーなどを含む）からなるキーボード１２ａを備えている。表示部１３は、液晶表示器などからなり、ユーザにより検索された文書や、検索を行うための画面などを表示する。辞書データ記憶部１４は、複数の辞書の辞書データ１４ａを保持している。該辞書データ１４ａには、語義（訳）、見出し語、成句データ、及び例文データが、所定の手法により紐付けて保持されている。ＲＡＭ１５は、各種データの一時保持手段として用いられ、特に、検索文字などを一時的に記憶する文字データ一時記憶部１５ａを有する。
【００２４】
次に、図２は、該電子辞書の外観構成を示す外観図である。なお、図１に対応する部分には同一の符号を付けて説明を省略する。電子辞書１０は、表示部１３が配設された蓋部１７とキーボード１２ａが配設された本体部１８とがヒンジ１９により二つ折可能な構造となっている。本体部１８には、キーボード１２ａとして、電源キー２１、アルファベットキー２２、翻訳キー（ジャンプキー）２３、カーソルキー２４、決定／訳キー２６を備えている。
【００２５】
アルファベットキー２２は、文字入力用のキーである。切替キー２３は、表示形態を切り替えるためのキーである。本実施形態では、見出し語リストとその訳を表示するプレビュー画面上、または、訳文を全画面表示する訳画面上に、成句リスト及び例文リストを表示する成句・例文リスト表示、成句リストを表示する成句リスト表示、例文リストを表示する例文リスト表示、プレビュー画面または訳画面のみを表示するノーマル表示の４つの表示形態を有する。上記切替キー２３は、該４つの表示形態を切り替えるためのものである。カーソルキー２４は、メイン画面でカーソルを移動させるためのキーであり、特に、メイン画面に表示されている文章をスクロールしたり、文書内でカーソルを移動したりするためのキーである。決定／訳キー２６は、検索する単語を決定したり、辞書選択を決定したりするためのキーである。
【００２６】
次に、本実施形態の動作について説明する。
【００２７】
図３乃至図５は、本実施形態の動作を説明するためのフローチャートである。まず、使用者がキーボード１２ａなどを用いて、使用辞書を選択すると（ステップＳ１）、制御部１１は、該選択された辞書の辞書検索用データを読み出す（ステップＳ２）。次に、使用者が検索したい文字をキーボード１２ａから入力する（ステップＳ３）。制御部１１は、文字が入力されたことを示す文字入力信号を受信すると、辞書データを検索し、見出し語リストを表示部１３に表示する（ステップＳ４）。これに対して、使用者がキーボード１２ａを用いて、見出し語のリストから所望する見出し語を選択する（ステップＳ５）。なお、デフォルトでは、最上位置の見出し語が選択されている。
【００２８】
次に、制御部１１は、選択された見出し語の訳画面を表示部１３に表示し（ステップＳ６）、該当見出し語に成句データがあるか否か（ステップＳ７）、例文データがあるか否か（ステップＳ９）を判定する。そして、成句データがある場合には、別ウィンドウに成句リストを表示し（ステップＳ８）、例文データがある場合には、別ウィンドウに例文リストを表示する（ステップＳ１０）。なお、該当する成句データがない場合、あるいは、該当する例文データがない場合には、何も表示しないのではなく、それぞれ成句リストや、例文リストに対応する空の別ウィンドウを表示するようにしてもよい。
【００２９】
この結果、図６に示す画面１００のように、成句・例文リスト表示として、見出し語リスト３０、選択された見出し語の訳３１からなるプレビュー画面上に、別ウィンドウ３２に成句リストが、別ウィンドウ３３に例文リストが表示される。また、成句リストの別ウィンドウ３２のタイトルバーには、ヒットした成句の数３２１が表示され、例文リストの別ウィンドウ３３のタイトルバーには、ヒットした例文の数３３１が表示される。
【００３０】
次に、制御部１１は、切替キー２３が操作されたか否かを判定し（ステップＳ１１）、切替キー２３が操作された場合には、切替キー２３が操作される度に、図６に示すように、画面１００で示す成句・例文リスト表示から、画面２００で示す成句リスト表示に、該成句リスト表示から画面３００で示す例文リスト表示に、該例文リスト表示から画面４００で示すノーマル表示に切り替える（ステップＳ１２）。なお、図では省略したが、各画面表示においては、上述したステップＳ７、Ｓ８、Ｓ９、Ｓ１０に示すように、成句データの有無、例文データの有無を判定してもよいし、上記ステップＳ７、Ｓ８、Ｓ９、Ｓ１０での判定結果を保持しておき、これを用いてもよい。
【００３１】
図６に示すように、画面２００で示す成句リスト表示では、見出し語リスト３０、選択された見出し語の訳３１からなるプレビュー画面上に、別ウィンドウ３２に、成句リストのみが表示される。また、成句リストの別ウィンドウ３２のタイトルバーには、ヒットした成句の数３２１が表示される。また、画面３００で示す例文リスト表示では、見出し語リスト３０、選択された見出し語の訳３１からなるプレビュー画面上に、別ウィンドウ３３に、例文リストのみが表示される。また、例文リストの別ウィンドウ３３のタイトルバーには、ヒットした例文の数３３１が表示される。また、画面４００で示すノーマル表示では、見出し語リスト３０、選択された見出し語の訳３１からなるプレビュー画面のみが表示される。
【００３２】
次に、各画面において、決定キー２６が操作されたか否かを判定し（ステップＳ１３）、決定キー２６が操作されなければ、ステップＳ１１に戻り、上述した表示の切り替え動作を行う。なお、各画面においては、カーソルキー２４による操作で、見出し語の選択や、リストのスクロールなどを行うことができる。また、カーソルキー２４による上下移動で、見出し語リスト３０の見出し語を選択することで、リアルタイムで、見出し語の訳３１や、成句リスト、例文リストが切り替わるようになっている。
【００３３】
また、切替キー２３で画面１００〜画面４００を順に切り替えて、いずれかの画面で決定キー２６が押下された後に、所定のアクティブウインドウ切替キー（いずれかのキーにアクティブウインドウ切替キーの役割を持たせても良いし、別途、アクティブウインドウ切替キーの専用キーを設けてもよい）が操作された場合には、例えば画面１００であれば、見出し語訳３１、成句リスト３２、例文リスト３３のアクティブウインドウを順次切り替える。その切り替えられたウインドウで例えば上下のカーソルキー２４を押下された場合には、見出し語訳や成句リスト、例文リストの表示をスクロール処理する。
【００３４】
一方、いずれかの画面で、決定キー２６が操作されると、その時点で、選択されていた見出し語の訳を表示する（ステップＳ１４）。なお、デフォルトでは、決定キー２６が操作された時点の画面がいずれでもあっても、見出し語の訳の表示画面上に、別ウィンドウで、該当する成句リスト、例文リストを表示する成句・例文リスト表示とする。これ以外に、決定キー２６が操作された時点の画面に対応する画面、すなわち、成句・例文リスト表示なら成句・例文リスト表示に、成句リスト表示なら成句リスト表示に、例文リスト表示なら例文リスト表示に、ノーマル表示ならノーマル表示に切り替えるようにしてもよい。
【００３５】
この結果、図７に示す画面１０１のように、成句・例文リスト表示として、選択された見出し語の訳４１からなる画面上に、別ウィンドウ４２に成句リストが、別ウィンドウ４３に例文リストが表示される。また、成句リストの別ウィンドウ３２のタイトルバーには、ヒットした成句の数４２１が表示され、例文リストの別ウィンドウ３３のタイトルバーには、ヒットした例文の数４３１が表示される。
【００３６】
次に、制御部１１は、切替キー２３が操作されたか否かを判定し（ステップＳ１５）、切替キー２３が操作された場合には、切替キー２３が操作される度に、図７に示すように、画面１０１で示す成句・例文リスト表示から、画面２０１で示す成句リスト表示に、該成句リスト表示から画面３０１で示す例文リスト表示に、該例文リスト表示から画面４０１で示すノーマル表示に切り替える（ステップＳ１６）。なお、図では省略したが、各画面表示においては、上述したステップＳ７、Ｓ８、Ｓ９、Ｓ１０に示すように、成句リストの有無、例文リストの有無を判定している。
【００３７】
図７に示すように、画面２０１で示す成句リスト表示では、選択された見出し語の訳４１からなる画面上に、別ウィンドウ４２に、成句リストのみが表示される。また、成句リストの別ウィンドウ４２のタイトルバーには、ヒットした成句の数４２１が表示される。また、画面３０１で示す例文リスト表示では、選択された見出し語の訳４１からなる画面上に、別ウィンドウ４３に、例文リストのみが表示される。また、例文リストの別ウィンドウ４３のタイトルバーには、ヒットした例文の数４３１が表示される。また、画面４０１で示すノーマル表示では、選択された見出し語の訳４１からなる画面のみが表示される。
【００３８】
次に、使用者により別の単語の語義を調べる指示があったか否かを判定し（ステップＳ１７）、別の単語の語義を調べる指示があった場合には、ステップＳ５に戻り、上述した処理を繰り返す。一方、別の単語の語義を調べる指示がなかった場合には、使用者により別の検索を行うかの指示があったか否かを判定し（ステップＳ１８）、別の検索が指示された場合には、文字データ記憶部１５ａに一時記憶したデータを消去し（ステップＳ１９）、ステップＳ３に戻り、上述した処理を繰り返す。また、別の単語の語義を調べる指示がなく、かつ、別の検索も指示されない場合には、当該処理を終了する。
【００３９】
上述した実施形態によれば、見出し語の検索時に、成句リスト、例文リストを同一画面上で確認できるので、それらを見落とすことがなくなる。また、切替キーを押す毎に、成句・例文リスト表示（それぞれ別ウィンドウ表示）、成句リスト表示（別ウィンドウで成句リストを表示）、例文リスト表示（別ウィンドウで例文リストを表示）、ノーマル表示（例文成句を畳む）に切り替えるようにしたので、使用者が任意に表示スタイルに変更することができ、利便性を向上させることができる。
【００４０】
また、上述した実施形態において、制御部１１による各ステップを実現するためのプログラムをコンピュータ読み取り可能な記録媒体に記録して、また、制御部１１における処理部の機能を実現するためのプログラムをコンピュータ読み取り可能な記録媒体に記録して、この記録媒体に記録されたプログラムをコンピュータシステムに読み込ませ、実行することにより、符号化処理、及び復号化処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４２】
【図１】本実施形態による電子辞書の構成を示すブロック図である。
【図２】本実施形態による電子辞書の外観構成を示す外観図である。
【図３】本実施形態の動作を説明するためのフローチャートである。
【図４】本実施形態の動作を説明するためのフローチャートである。
【図５】本実施形態の動作を説明するためのフローチャートである。
【図６】本実施形態による電子辞書の表示例及び表示遷移を示す模式図である。
【図７】本実施形態による電子辞書の表示例及び表示遷移を示す模式図である。
【符号の説明】
【００４３】
１０  電子辞書
１１  制御部（見出し語検索手段、語義検索手段、成句データ有無判定手段、表示制御手段、例文データ有無判定手段、表示形態切替手段）
１２  入力部（検索単語指定受付手段）
１２ａ  キーボード
１３  表示部（表示手段）
１４  辞書データ記憶部
１４ａ  辞書データ
１５  ＲＡＭ
１５ａ  文字データ一時記憶部
１７  蓋部
１８  本体部
１９  ヒンジ
２１  電源キー
２２  アルファベットキー
２３  切替キー（切り替え指示手段）
２４  カーソルキー
２６  決定／訳キー
【図１】
0005113459.tif 000002
【図２】
0005113459.tif 000003
【図３】
0005113459.tif 000004
【図４】
0005113459.tif 000005
【図５】
0005113459.tif 000006
【図６】
0005113459.tif 000007
【図７】
0005113459.tif 000008